(57)【特許請求の範囲】
【請求項１】
直線状の軸部の一端に頭部を一体に形成してなる頭付ピンと、弾性薄板により内径が前記軸部の外径より僅かに小径とした円環状に形成され、内周縁に切目が放射状に形成された止リングと、中心に前記頭付ピンの軸部が挿入される縦孔を形成するとともに側面に前記止リングを該縦孔まで挿入し得るスリット状孔が該縦孔と直交状なるように形成された基体と、側面に前記頭付ピンの頭部および軸部を挿入し得る略Ｔ字形孔が形成された被着体とを備え、制御基板収納ケースのケース本体と開閉蓋とに前記基体と被着体とが夫々隙間なく収められる有底筒状の封止部を形成し、前記基体内に止リングを挿入した状態で該基体を一方の封止部に収納し、前記被着体内に頭付ピンの頭部を挿入した状態で該被着体を他方の封止部に収納して該頭付ピンの軸部を該封止部の底壁を貫通させるとともに、該開閉蓋をケース本体に被せることで該ケース本体の封止部の底壁と該開閉蓋の封止部の底壁とを重ね、該軸部をさらに前記基体が収納された封止部の底壁に貫通させて前記基体の縦孔に差し込むことにより、該軸部の先端で前記止リングの内周縁が押圧されて弾性変形し該止リングの内径が拡開することで該軸部が該止リング中に抜脱不能に貫通されるようにしたことを特徴とする遊技機における制御基板収納ケースの封止構造。
【請求項２】
頭付ピンの軸部に外径を部分的に小径とした小径部を形成し、該小径部に前記止リングを係合させるようにした請求項１に記載した遊技機における制御基板収納ケースの封止構造。
【発明の詳細な説明】
【技術分野】
【０００１】
本発明は、パチンコ機、スロットマシン等の遊技機において制御基板が収納された収納ケースを封止し、封止部を破壊しない限り開けられないようにすることにより、制御基板の不正な改造が防止されるようにする制御基板収納ケースの封止構造に関するものである。
【背景技術】
【０００２】
制御基板によって大当たり発生等の遊技を制御するパチンコ機、スロットマシン等の遊技機では、該制御基板が不正改造されないようにするため、下記特許文献１に示された封止構造では、ロックピンが破壊されるとピン内から塗料が流出し、開封した痕跡が一目で分かるようにしている。
また、従来から制御基板収納ケースの封止部にいわゆるワンウェイビスを施すと共に、ワンウェイビスのみでは特殊な工具を用いて開封されるおそれがあったので、そのビス締め個所に液体接着剤を流し込んで固着することも行われていた。
また、封止部にロックピンを貫挿した後、蓋部材を該封止部内に押し込むことで、該ロックピンの頭部が蓋部材によって覆われるようにし、さらに該蓋部材を液体接着剤によって固着することもあった。
【特許文献１】特開２００３−２１４４１３号公報
【発明の開示】
【発明が解決しようとする課題】
【０００３】
ところで、特許文献１に示された封止構造では塗料の入ったカプセルを備えなければならないなど、構造が複雑にならざるを得ないものであった。
また、上記のように液体接着剤を流し込むことは、手間が掛かるだけでなく、液体接着剤が収納ケース中に流れ込んで制御基板を破損させるおそれがあった。また、ロックピンの頭部を覆う蓋部材が設けられていても、この蓋部材を取り除くことでロックピンを引き抜き得るようになるという問題があった。
そこで本発明は従来の制御基板収納ケースの封止構造におけるこのような課題を解決しようとするものである。
【課題を解決するための手段】
【０００４】
そのために請求項１に記載した遊技機における制御基板収納ケースの封止構造の発明は、直線状の軸部の一端に頭部を一体に形成してなる頭付ピンと、弾性薄板により内径が前記軸部の外径より僅かに小径とした円環状に形成され、内周縁に切目が放射状に形成された止リングと、中心に前記頭付ピンの軸部が挿入される縦孔を形成するとともに側面に前記止リングを該縦孔まで挿入し得るスリット状孔が該縦孔と直交状なるように形成された基体と、側面に前記頭付ピンの頭部および軸部を挿入し得る略Ｔ字形孔が形成された被着体とを備え、制御基板収納ケースのケース本体と開閉蓋とに前記基体と被着体とが夫々隙間なく収められる有底筒状の封止部を形成し、前記基体内に止リングを挿入した状態で該基体を一方の封止部に収納し、前記被着体内に頭付ピンの頭部を挿入した状態で該被着体を他方の封止部に収納して該頭付ピンの軸部を該封止部の底壁を貫通させるとともに、該開閉蓋をケース本体に被せることで該ケース本体の封止部の底壁と該開閉蓋の封止部の底壁とを重ね、該軸部をさらに前記基体が収納された封止部の底壁に貫通させて前記基体の縦孔に差し込むことにより、該軸部の先端で前記止リングの内周縁が押圧されて弾性変形し該止リングの内径が拡開することで該軸部が該止リング中に抜脱不能に貫通されるようにしたことを特徴とする。
また、請求項２に記載した発明は上記制御基板収納ケースの封止構造において、頭付ピンの軸部に外径を部分的に小径とした小径部を形成し、該小径部に前記止リングを係合させるようにしたことを特徴とする。
【発明の効果】
【０００５】
構造が簡単であり手間を掛けずに制御基板収納ケースを確実に封止することができる。また、液体接着剤によって制御基板を破損させるようなおそれもない。
【発明を実施するための最良の形態】
【０００６】
図１は本発明に係る制御基板収納ケースの封止構造に使用される頭付ピン１と止リング２と基体３と被着体４の斜視図である。頭付ピン１はステンレス等の素材により平円盤形の頭部１ａに直線状の軸部１ｂを一体に形成してなる。また、止リング２はバネ鋼のような金属製の弾性薄板により内径が前記軸部１ｂの外径より僅かに小径なる円環状に形成され、その内周縁寄りに放射状に切目２ａを形成し、該切目によって該内周縁が僅かに一方向に傾斜状になると共に該内径が弾性的に拡開し得るようにしている。
【０００７】
また、基体３は硬質のプラスチックにより一側に平坦な側面３ａを持つ切欠円柱状に形成され、中心に前記軸部１ｂが挿入される縦孔３ｂが形成され該側面３ａに前記止リング２を該縦孔まで挿入し得るスリット状孔３ｃが形成される。なお、３ｄは縦孔３ｂの一側と連通するように該側面３ａに開口された縦溝である。また、被着体４は同じく硬質のプラスチックにより一側に平坦な側面４ａを持つ切欠円柱状に形成され、該側面４ａに前記頭付ピンの頭部１ａおよび軸部１ｂを挿入し得る略Ｔ字形孔４ｂが形成されている。
【０００８】
図２は、プラスチック製のケース本体５とプラスチック製の開閉蓋６とからなる制御基板収納ケースを示し、７は該ケース本体５内にビス８により固定された遊技機の制御基板である。そして、ケース本体５の外周縁部に図３に示したように有底筒状の封止部５ａを一体に形成し、該封止部内に前記基体３が隙間なく収められるようにすると共に、該封止部の底壁５ｂの中心に前記頭付ピンの軸部１ｂが貫通し得る透孔５ｃを形成している。また、開閉蓋６の相対する外周縁部に図４に示したように有底筒状の封止部６ａを一体に形成し、該封止部内に前記被着体４が隙間なく収められるようにすると共に、該封止部の底壁６ｂの中心に軸部１ｂが貫通し得る透孔６ｃを形成している。なお、ケース本体５および開閉蓋６の他側縁は図示されてないが爪片と該爪片が係合する係合部が夫々一体に形成されている。また、９はケース本体５を遊技機内に固設するために該ケース本体５の四隅に開設された取付孔を示す。
【０００９】
このため、前記止リング２が予め挿入された基体３を封止部５ａにその開口端から収納すると共に、頭付ピン１が予め挿入された被着体４を封止部６ａにその開口端から収納し、図５に示したようにケース本体５に開閉蓋６を被せ、図６，図７に示したように該封止部５ａの底壁５ｂと封止部６ａの底壁６ｂとを重ね、頭付ピン１の軸部１ｂを透孔６ｃ，５ｃに貫通させ該軸部１ｂを該基体３の縦孔３ｂに差し込んで止リング２の中心孔を押圧し、該止リング２の内周縁がその圧入方向に弾性的に僅かに変形し内径を僅かに拡開させることにより、該軸部１ｂを該止リング２中に貫通させる。このため該軸部１ｂは止リング２中に抜脱不能に係合する。そしてこの状態では、該基体３の外周面が筒状の封止部５ａによって囲繞されると共に、被着体４の外周面が筒状の封止部６ａによって囲繞されることから、該止リング２および頭付ピン１は側方へも抜脱不能になり、封止部５ａの底壁５ｂと封止部６ａの底壁６ｂとが重ねられた状態、即ち、ケース本体５に対し開閉蓋６を封止状態に保つことができる。このため開閉蓋６を開けようとすると、封止部５ａ，６ａを破壊するほかなく、該封止部を破壊し開閉蓋６を開けた場合にはその痕跡が残ることとなるので、無用或いは不正な目的で開閉蓋６を開けることが防止される。
【００１０】
一方、図８に示した制御基板収納ケースは、ケース本体５および開閉蓋６の外側縁にリブ５ｄ，６ｄを突設し、該各リブの先端に夫々封止部５ａ，６ａを一体に形成し、これと同様の封止部をケース本体５および開閉蓋６の外側縁に複数組形成してなるものである。従ってこの制御基板収納ケースでは、いずれか一組の封止部５ａ，６ａにだけ上記のように基体３，被着体４を挿入することで封止でき、開閉蓋６を開けようとするときは封止された封止部のリブのみを破壊するようにする。そして再度封止しようとするときに他の破壊さていない組の封止部を使用することができる。このため、その破壊状態を見ることでこの制御基板収納ケースの開放回数を知ることができ、不正目的で開放されるのを防止することができると共に、複数回の正当な開放を可能にしている。そして本発明に係る封止構造では、このようにリブ５ｄ，６ｄを介して封止部５ａ，６ａが形成された制御基板収納ケースに対しても、その封止作業は基体３に対し被着体４を圧下させるだけで軸部１ｂを止リング２中に係合させられるので、リブ５ｄ，６ｄにストレスを与えることなく、誤ってリブ５ｄ，６ｄを折損させるようなおそれがない。
【００１１】
また、図９に示した頭付ピン１は、軸部１ｂの外周に止リング２が係合し得る小径部１ｃを形成したもので、このように小径部１ｃを形成することで頭付ピン１が定位置まで差し込まれたことを係合時に発せられるパチンという音によって容易に確認できるようになると共に、抜脱がさらに確実に防止されるようになる。
【図面の簡単な説明】
【００１２】
【図１】本発明に係る封止構造に使用される頭付ピンと止リングと基体と被着体の分解斜視図。
【図２】本発明に係る制御基板収納ケースの解放時の斜視図。
【図３】図２のＡ−Ａ線断面図。
【図４】図２のＢ−Ｂ線断面図。
【図５】本発明に係る制御基板収納ケースの封止時の斜視図。
【図６】図５のＣ−Ｃ線断面図。
【図７】図５の制御基板収納ケースの要部の透視斜視図。
【図８】本発明の他の実施形態を示す制御基板収納ケースの封止時の斜視図。
【図９】本発明の他の実施形態を示す頭付ピンの斜視図。
【符号の説明】
【００１３】
１      頭付ピン
１ａ    頭部
１ｂ    軸部
１ｃ    小径部
２      止リング
２ａ    切目
３      基体
３ａ    側面
３ｂ    縦孔
３ｃ    スリット状孔
４      被着体
４ａ    側面
４ｂ    略Ｔ字形孔
５      ケース本体
５ａ    封止部
５ｂ    底壁
５ｃ    透孔
６      開閉蓋
６ａ    封止部
６ｂ    底壁
６ｃ    透孔
【図１】
0004332524.tif 000002
【図２】
0004332524.tif 000003
【図３】
0004332524.tif 000004
【図４】
0004332524.tif 000005
【図５】
0004332524.tif 000006
【図６】
0004332524.tif 000007
【図７】
0004332524.tif 000008
【図８】
0004332524.tif 000009
【図９】
0004332524.tif 000010